(57)【要約】  分類機構は、ユーザタスクコンテキスト、分類されるアイテムに関連するコンテンツタイプに基づいて選択される１つ又はそれ以上の分類キー及び／又はユーザの嗜好を利用する。直感的ソフトキー又はプログラム／楽曲タイトルのようなデフォルトキーは、一次分類キーのユーザ選択又はタスクパラメータから推測されるようなユーザの目的に基づいて選択されるが、選択された分類キーを用いる分類に基づく順序付けられたリストに表示された結果を用いて、ユーザにより変更されることが可能である。
2005513686.tif 000002
【特許請求の範囲】
【請求項１】
コンテンツに関する複数の情報アイテムを受信する分類制御器；
を有する分類システムであって、
前記分類制御器は、前記情報アイテムを分類するために１つ又はそれ以上の分類キーを選択する前記情報アイテムのために現在のユーザタスクコンテキストとコンテンツタイプとを用いて前記情報アイテムを分類する；
ことを特徴とする分類システム。
【請求項２】
請求項１に記載の分類システムであって、前記選択された分類キーは、前記現在のユーザタスクコンテンツと前記コンテンツタイプとについてのユーザ分類嗜好から取得される、ことを特徴とする分類システム。
【請求項３】
請求項１に記載の分類システムであって、前記選択された分類キーは、前記ユーザにより選択された一次分類キーと前記ユーザにより選択された前記一次分類キーから推測される前記現在のユーザタスクコンテキストの性質に基づいて選択される二次分類キーとを有する、ことを特徴とする分類システム。
【請求項４】
請求項１に記載の分類システムであって、前記現在のユーザタスクコンテキストは前記ユーザにより前記一次分類キーの変更から推測される、ことを特徴とする分類システム。
【請求項５】
請求項１に記載の分類システムであって、前記複数の情報アイテムは、前記一次分類キーの下で等しい値を有するグループ分けに較正されるユーザ制御と共に前記分類制御器により決定される順序に表示される、ことを特徴とする分類システム。
【請求項６】
コンテンツと該コンテンツに関する複数の情報アイテムとを受信するための入力；並びに
前記情報アイテムを分類するために１つ又はそれ以上の分類キーを選択する前記情報アイテムのために現在のユーザタスクコンテキストとコンテンツタイプとを用いて前記情報アイテムを受信し且つ分類する分類制御器；
を有することを特徴とする音声／映像受信器。
【請求項７】
コンテンツと該コンテンツに関する複数の情報アイテムとを受信する段階；並びに
前記情報アイテムを分類するために１つ又はそれ以上の分類キーを選択する前記情報アイテムのために現在のユーザタスクコンテキストとコンテンツタイプとを用いて前記情報アイテムを分類する段階；
を有することを特徴とする分類方法。
【請求項８】
情報アイテムの順序付けリスト；
を有する信号であって、
前記順序付けリストは、前記情報アイテムを分類するために１つ又はそれ以上の分類キーを選択する前記情報アイテムのために現在のユーザタスクコンテキストとコンテンツタイプとを用いて複数の情報アイテムを分類することにより取得される；
ことを特徴とする信号。
【発明の詳細な説明】
【技術分野】
【０００１】
本発明は、一般に、検索システムに関し、更に詳細には、結果の順序リストを生成する検索システムに関する。
【背景技術】
【０００２】
種々の検索ツールは、リストアイテムの属性に基づいて分類された結果の順序リストを生成する。例えば、エンターテインメントシステムにおいては、ユーザは、しばしば、タイトル、ジャンル、日時、チャネル、俳優、監督に基づいて、検索システムの一部として推薦が採用されているときには推薦又は評価に更に基づいて、コンテンツのリストを分類することができる。しかしながら、システムにより使用されるデフォルト分類キーは、しばしば、ユーザには不満足である。
【発明の開示】
【発明が解決しようとする課題】
【０００３】
従って、コンテンツタイプ間で及びそれらに渡って適用されるコンテキスト依存性の一次分類キー及び二次分類キーを使用する分類ツールに対する当該技術分野における要求が存在する。
【課題を解決するための手段】
【０００４】
上記の先行技術の不具合に対処するために、本発明の主な目的は、コンテンツ受信システムで使用して、一次分類キーといずれかの付加的な（例えば、二次）分類キーを自動的に決定するために、コンテンツタイプ及び／又はユーザタスクコンテキストを利用する分類機構を提供することである。プログラム／歌のタイトルのような直感的分類キー又はデフォルト分類キーは、分類キーのどの組み合わせがユーザにより好まれるかを学習するシステムを用いて、ユーザにより変更されることが可能である。結果は、一次分類キー及び二次分類キー（必要に応じて）を用いる、及び、分類されるアイテムの総数というよりむしろ一次分類グループ分けの数に対して較正されるスライダユーザ制御を用いる、分類に基づいた順序リストにおいて表示される。
【０００５】
前記は、当業者が以下に続く本発明の詳細説明をより理解することができるように、本発明の特徴及び技術的優位性をかなり広く概観したものである。本発明の請求項の主題を構成する本発明の追加の特徴及び優位性について、以下に説明することとする。当業者は、当業者が本発明の同じ目的を実行するために他の構成をデザインする又は修正することが容易に可能であることを理解するであろう。当業者は又、そのような同等な構成が、本発明の最も広い構成についての範囲及び主旨から逸脱するものではないことを認識するであろう。
【０００６】
下の、発明を実施するための最良の形態を理解する前に、本発明の明細書を通して用いる特定の用語又は表現についての定義について説明することは都合がよい。“有する”及びこの用語から派生したことばは、有することを意味するが、これに限定されるものではない。用語“関連する”及びこの用語から派生したことばは、有する、内部に有する、相互関連する、接続する、結合する、伝達可能である、協働する、インタリーブする、並列する、近接する、隣接する、所有する、及び／又は、属性を有する、を意味するが、これに限定されるものではない。用語“制御器”は、少なくとも１つの操作を制御する、装置、システム又はそれらの一部であって、そのような装置は、ハードウェア、ファームウェア、ソフトウェア又はそれらの少なくとも２つの任意の組み合わせを意味する。いずれの特定の制御器に関連する機能性は、集中させること又は分散させることが可能であり、近くに置くことも遠くに置くことも可能である。特定の用語及び表現についての定義は本発明の明細書を通して用いられ、当業者は、そのような定義が、多くの場合であって、殆どの場合でないにしても、そのような定義された用語及び表現を上記の及び下記の例に適用することを理解するであろう。
【発明を実施するための最良の形態】
【０００７】
以下に説明するような図１乃至３、及び本明細書における本発明の原理を説明するために用いる種々の実施形態は、単に例示としてであって、本発明の範囲を限定するために多少なりとも解釈されるべきものではない。当業者は、本発明の原理がいずれかの適切に配列された装置において実施されることが、理解するであろう。
【０００８】
図１は、本発明の一実施形態に従った、コンテンツタイプに依存する適応可能な一次分類キー及び二次分類キーを利用して、分類機構を実施するコンテンツ受信システムを示している。コンテンツ受信システム１００において、制御器１０２は、放送設備或いは放送又はインターネットコンテンツサーバ、並びに随意的な関連コンテンツのような１つ又はそれ以上の外部ソースから利用可能なコンテンツに関する情報を少なくとも受信する。従って、制御器１０１は、テレビ、衛星放送デコーダユニット、地上放送デコーダユニット又はケーブル放送デコーダユニット等の映像受信器１１０において、地上無線受信器、衛星無線受信器、コンパクトディスクプレーヤ又はデジタルオーディオプレーヤ等の音声受信器１１１において、或いは、セットトップボックス、パーソナルコンピュータ等のインターネットアクセス装置１１２において、実施されることが可能である。従って、制御器１０１は、１つ又はそれ以上の映像受信器１１０、音声受信器１１１、インターネットアクセス装置１１２及びオプションとして含まれる一体型表示装置等を制御するために適合されるリモート制御装置１１３に実施されることが可能である。制御器１０１は又、映像受信器１１０、音声受信器１１１、インターネットアクセス装置１１２及びリモート制御装置１１３を構成する２つまたはそれ以上の装置内に配置される種々の部分を用いて、分散方式で実施されることが可能である。
【０００９】
しかしながら、実施されるコンテンツ受信システム制御器１０１は、少なくとも外部ソースから利用可能なコンテンツに関する情報を受信するための入力１０２を有し、コンテンツ、制御信号及び／又はユーザインタフェースデータを受信器、表示装置又は記録装置に送信するための出力１０３を有してもよい。更に、コンテンツ受信システム１００は、ＭＰＥＧ−２（Ｍｏｔｉｏｎ  Ｐｉｃｔｕｒｅ  Ｅａｐｅｒｔ  Ｇｒｏｕｐ  ｌｅｖｅｌ  ２）デジタル映像信号としてフォーマットされた映像コンテンツとＭＰＥＧ音声レイヤ３（ＭＰ３）デジタル音声信号としてフォーマットされた音声コンテンツのような異なるタイプのコンテンツを受信する。
【００１０】
当業者は、コンテンツ受信システムの全部の構成及び動作については、ここでは、図示せず又は説明しないことを理解するであろう。それに代えて、簡単化及び明確化のために、本発明に特異であるか又は本発明のために必要であるようなコンテンツ受信システム制御器の構成及び動作と本発明の理解のみについて図示し、説明することとする。制御装置の残りの構成及び動作については、当該技術分野において知られている従来の方法に従うことが可能である。更に、映像受信器、音声受信器、インターネットアクセス装置及びリモート制御装置を、例示としての実施形態において使用するが、ここで説明する機能が、例えば、ゲーム装置のような他のタイプの装置に容易に適合することが可能であり、それ故、コンテンツの他のフォームを使用することが可能であることを当業者は理解するであろう。
【００１１】
例示としての実施形態において、制御器１０１は、分類モジュール又は機能性１０５を有する制御アルゴリズム又はプログラマブル論理回路１０４を有する。制御器１０４に通信可能であるように結合されたユーザインタフェース１０６は、例えば、赤外線リモート制御器、タッチスクリーン又は入力ボタンからのユーザ入力を可能にする。ユーザインタフェース１０６は、表示装置及び／又はスピーカを有することが可能であり、或いは、それに代えて、コンテンツ受信システム１００は、分離された表示装置及び／又はサウンドシステムに結合されることが可能である。例示としての実施形態における制御器１０１は又、メモリ１０７であって、好適には不揮発性メモリを有する。メモリ１０７は、利用可能なコンテンツ（例えば、プログラム案内）についての受信された情報１０８を随意に保存するために、及び１つ又はそれ以上のユーザプロファイル１０９を保存するために、有する。
【００１２】
示した例におけるユーザプロファイル１０９は、各々のアイテム又は属性に関連して、それぞれのアイテムのためのアイテムタイプとユーザ評価値とを有し、オプションの推薦モジュールにより用いるためにユーザの好みの明示プロファイルであるが、収集された履歴視聴情報のような他のプロファイルのタイプを使用することが可能である。推薦の機能性は、分類の間のそれぞれの評価又は推薦値のような属性を使用するための分類機構に結合されることが可能である。分類制御器１０５、オプションの推薦、及びユーザプロファイル１０９は、勿論、制御器１０１におけるリモートシステムに位置付けられることが可能であり、制御器１０１に記憶されたデータを送信することが可能である。
【００１３】
コンテンツタイプ及びユーザの好みについてのメタデータ及びユーザタスクのコンテキストのアウェアネス（ａｗａｒｅｎｅｓｓ）に基づいて、本発明の例示としての実施形態において、分類制御器１０５（又は、他の場所に位置付けされ、制御器１０１に通信可能であるように結合された分類制御器）は、下で更に詳細に説明するように、コンテンツリストのための一次分類キー及び二次分類キーを選択する。更に、当業者は、例示としての実施形態がエンターテインメントシステムに関連する一方、本発明は分類機構を使用するいずれのデータ処理システムと共に用いられることが可能であることを、認識するであろう。
【００１４】
図２Ａ乃至２Ｃは、本発明の一実施形態に従ったユーザタスクコンテンツ及び／又はコンテンツタイプに依存する利用可能な分類キーを利用する分類機構を使用するコンテンツ受信システム制御器のためのユーザインタフェース表示のモックアップである。示しているユーザインタフェースは、例えば、図１に示した制御器１０１により使用される。図２Ａにおけるユーザインタフェース表示装置２００は、コンテンツ情報（プログラム案内）に基づいてコンテンツを検索するためのユーザ制御２０１を有する。検索は、異なる目的のために又は異なる方法において実行されることが可能である。例えば、ユーザ検索は、記録するため、前の記録から再生するため、或いは、利用可能なコンテンツをブラウズするというよりむしろ特定のアイテムを同時に視聴するため又は願望の発見を伴って、実行されることが可能である。ユーザが終了することを試みるタスクに依存して、システムは、結果リストを順序付けるために一次分類キー、二次分類キー及び他の（例えば、三次）分類キーを自動的に選択するためにユーザタスクコンテキストを利用することが可能である。
【００１５】
例えば、ユーザがユーザプロファイルに基づいて記録するためにコンテンツの推薦を検索する場合、システムは、記録するためにコンテンツを選択するタスクをユーザが終了することを最も効果的に支援する順序付け、アルファベット順のタイトル（二次分類キー）により同じ評価値を有するコンテンツアイテムのために及び推薦評価（一次分類キー）に基づいて、システムは結果を自動的に分類することが可能である。
【００１６】
他方、ユーザが、ユーザプロファイルへの関連を伴わずに同時に視聴するために現時点で利用可能なコンテンツを簡単に検索する場合、システムは、ユーザにとって最も有用な方式で検索結果を提供するために二次分類キーとしてのチャネルと一次分類キーとしてのプログラムの時間を自動的に選択することが可能である。同様に、ユーザが再生のために前に記録されたコンテンツを検索する場合、システムは、記録されたコンテンツが“古臭くなり”、一次分類キーとして上書きされ、記録される時間に支配されるようになる可能性がある。
【００１７】
システムは又、ユーザが他の分類キーを選択することを可能にし、そのような変更からユーザタスクコンテンツを推測することが可能である。例えば、上記のような好みのプロファイルに基づいて記録のコンテンツを検索する場合、ユーザは、一次分類キーを、例えば、プログラムタイトル、俳優又は監督等に選択的に変えることが可能である。ユーザがそのような方法で一次分類キーを変えるとき、システムはもはやコンテンツを簡単にブラウズしないが、ここで、特定のアイテムを検索することを認識する。従って、システムは、コンテンツ変更の結果として二次分類キー及び残りの分類キーを自動的に適合させ、例えば、プログラムの時間に二次分類キーを設定する。直感的且つ自然の二次分類キー及び低次分類キーは、例えば、データベースの欄の名前のような受信されたコンテンツ情報内のメタデータラベルからのユーザプロファイルから明示的に又は暗黙的に推測されるユーザの好み、コンテンツタイプ及びコンテンツに基づいて選択される。ヒューリスティックス又はルールは、一次分類キー、二次分類キー及び／又は低次分類キーを選択するために定義されることが可能であり、又は、デフォルト分類キーはユーザにより簡単に設定及び／又は修正されることが可能である。ユーザの好みにマッチするコンテンツを検索する例においては、放送会社又は他のメタデータからの属性は選択されることが可能であるが、プログラムタイトルは明示的には最良の二次分類キーである。
【００１８】
二次分類キーはリスト２０２において表示された属性に一致する必要はないことに留意する必要がある。その代わりに、１つの属性（例えば、放送会社）は二次分類キーとして使用されることが可能である一方、第２属性（例えば、プログラムタイトル）はリスト２０２において表示されることが可能である。
【００１９】
ユーザは又、二次分類キー又は低次分類キーを指定することが可能である。分類キーとして選択可能である属性は、一次分類キーとして選択される１つの属性を引いた一次分類キーとしての選択のために使用可能である属性の全体的な群を有する。例えば、一次分類キーとして選択されることが可能である属性は、評価、タイトル、時間及びチャネルを有する。制限が低次（例えば、4次分類キーに対して継続し、利用可能な欄は高次分類キーのために選択される属性を除外する。
【００２０】
システムは又、基準が好まれる、学習するための特定のタスクの結果を異なるユーザがどのように好むかを観測する（及び、ユーザプロファイルにおけるそのような好みを記憶する）。システムは、次いで、システムを現時点で使用する特定のユーザに依存して各々のタスクのために適切な分類キーを自動的に選択することができる。システムの学習能力は、（一次及び二次）分類キーの組み合わせ及び1つの分類キーの好みに及ぶ。
【００２１】
本発明において、特定のコンテンツタイプについてのユーザ履歴から導き出される又はシステムに対するデフォルトにより設定される異なる分類キーの組み合わせを用いる、分類キーは又、検索されるコンテンツタイプに依存する。図２Ｂにおけるユーザインタフェース表示装置２１０は、種々の音声（例えば、音楽）属性のための選択されたユーザプロファイルと受信されたコンテンツ情報における評価に基づいて現時点で利用可能な音声コンテンツを検索するためのユーザ制御２１１を有する。リスト２１２の分類において使用される二次分類キーは、リスト２０２の分類において使用される二次分類キーとは実質的に異なることが可能である。プログラム（楽曲）タイトルが明示的二次分類キーのままの状態である間に、ユーザは、映像プログラミングに対してというより音声プログラミング（例えば、アーチスト）のために異なる二次分類キーを随意に指定することが可能である。それ故、表示装置のために結果を分類することにおいて、制御器１０５は、先ず、検索されるコンテンツのタイプを決定し、次いで、使用される必要がある二次分類キーを決定する必要がある。システムは、学習プロセスにおいて、デフォルト分類キー又は分類キーの組み合わせにおいて異なるコンテンツタイプ（例えば、映像、楽曲、本等）について、殆どの人により好まれる分類順序は、各々のコンテンツタイプとユーザのタスクコンテキストについてのユーザプロファイルにおいて別々のルールを生成することを予想することが可能である。
【００２２】
従って、本発明においては、分類キーの選択は自動的であるが、ユーザにより無効にされることが可能である。ユーザは異なる分類キーを又はデフォルトでなく分類キーの組み合わせを指定することが可能であるが、最も適切な分類キーは、ユーザタスクコンテンツ、ユーザ及びコンテンツタイプに基づいて選択される。システムは、ユーザタスクコンテンツに基づいて（少なくとも一次及び二次）分類キーを自動的に選択するが、異なる一次分類キーのユーザ選択からの変更を推測し、それ故、新しいコンテキストに対する二次分類キー又は追加の分類キーを自動的に決定する。更に、システムは特定のユーザについてプロファイリングすることができ、それ故、ユーザによる測定のタスクのための１つの分類キー又は分類キーの組み合わせとコンテンツタイプの（繰り返し）選択とは、ユーザに対する対応するタスクについてのデフォルトとして設定される分類キー又は分類キーの組み合わせとコンテンツタイプとを結果的にもたらす。  
図２Ｃは、ユーザが分類されたリスト２０２を操作することを可能にする“スライダ”ユーザ制御２２１を有する。スライダ２２１は細長い領域において選択的に位置付けられることが可能である可動部により数字を指し示し、一次分類キーに基づく適切なスクローリングツールとして機能する。従来のスクローリングツールは、ユーザが、全体のアイテム数に基づいてアイテムのリストを通して均等に移動することを可能にしている。しかしながら、可動部を較正して全体のアイテム数に領域を長くするというよりは、スライダ２２１は、一次分類キーのグループに対して演算され、即ち、各々のアイテムのグループ分けは、一次分類キーがリストにおける特定のマーカーに対してスクロールする非比例を提供する単一階調として扱われる条件下で、各々のアイテムのグループは同じ値を有する。
【００２３】
例えば、ユーザがプログラムリストを分類する場合、スライダ２２１は、１００から０までを５つのインクリメントに推薦する評価により分類されたリストを提供することが可能である。たとえグルーピングが実質的に異なるサイズを有するとしても、マーカーに対する操作は、スライダ２２１（例えば、アイテムのグループが８０より大きい評価値を有する）において一次分類キーマーカーにマッチするアイテムを有する結果のリストのグループ分け又は一部にユーザを移行させる。例えば、アルファベットの分類は、文字“ｑ”又は“ｘ”より文字“ｓ”についてのグループ分けにおいてはるかに多くのアイテムを有する傾向にある。しかしながら、個々のアイテムではなく一次分類キーのグループ分けに対する較正により、本発明は、特定のグループ分けに対してユーザが分類されたリスト２０２をより速くトラバースすることを可能にする。
【００２４】
図３は、本発明の一実施形態に従ったコンテンツタイプ及びユーザタスクコンテキストに依存する適合可能分類キーを利用する分類プロセスについての高レベルのフローチャートである。プロセス３００は、受信されるコンテンツの検索から得られる結果から始める（段階３０１）。ユーザ及びコンテンツのタイプ（例えば、音声又は映像）が、先ず、決定され（段階３０２）、次いで、ユーザタスクコンテキスト（同時に視聴するために現時点で利用可能なコンテンツをブラウズして記録するためのコンテンツの検索、及び／又は特定のアイテムのための前に記録されたコンテンツの検索）が決定される（段階３０３）。
【００２５】
それ故、コンテキスト及びコンテンツのタイプの組み合わせについてのユーザの好みが前に検出されたかどうかについて決定がなされる（段階３０４）。肯定的な場合、ユーザプロファイルからの分類キーにおけるユーザの好みが用いられる（段階３０５）。否定的な場合、いずれかの非特定の分類キーは、デフォルト、或いは、全体的に指定される属性又は属性の組み合わせとすることが可能である、タスクコンテンツ及びコンテンツタイプに対する適合性に基づいて選択される（段階３０６）。
【００２６】
次いで、選択された分類キーを利用して結果が分類され（段階３０７）、分類された順序に表示される(段階３０８)。ユーザが分類キーを変更する場合（段階３０９）、コンテキスト変更が推測され、新しいタスクコンテキスト及びコンテンツタイプの組み合わせに対する適切な分類キーが決定される。殆どの場合、一次分類キーはユーザにより変更されるキーであり、前に定義されたルールは、新しいタスクコンテキストに対して適切な分類キーを決定するために適用されることが可能である（例えば、タイトル又は他の個々の名前のような分類キーの変更は特定のアイテムの検索を暗示する）。分類を必要とする他の検索結果の集合が受信されるまでプロセスがアイドルとなる（段階３１１）時間において、プロセスは検索結果の表示が閉じるまで継続する（段階３１０）。
【００２７】
本発明は、結果の分類がユーザタスクコンテキスト及びコンテンツタイプ及び／又はユーザの好みに依存して変更されることを可能にする。従って、同じ分類機構は、音声、映像、ゲーム等のような種々のコンテンツタイプに対して用いることが可能である。更に、本発明の例示としての実施形態はエンターテインメントコンテンツに関連する一方、本発明の技術は、本、家庭電器製品等のような他の物品のタイプに対して制御器を分類するために容易に適合されることが可能である。従って、ここで用いられるような用語“コンテンツ”は、検索又は暗示の主題であることが可能である、いずれかのアイテム又はいずれかのアイテムの内容に関連するとして解釈される必要がある。
【００２８】
以上、本発明について、十分機能的なシステムとの関連で説明したが、少なくとも本発明の機構の一部が種々のフォームの指令を有する機械使用可能媒体のフォームに分配されることが可能であり、本発明はその分配を実際に実行するために利用される特定タイプの信号担持媒体に関係なく同様に適用されることに留意することは重要であり、これについて、当業者は理解するであろう。機械使用可能媒体の例は、読み出し専用メモリ（ＲＯＭ）又は消去可能の電気的消却プログラム可能型読取専用メモリ（ＥＥＰＲＯＭ）のような不揮発性のハードコード化タイプ媒体、フロッピー(登録商標)ディスク、ハードディスクドライブ、ＣＤ−ＲＯＭ又はＤＶＤのような記録可能タイプ媒体、及びデジタル通信リンク及びアナログ通信リンクのような送信タイプ媒体を有する。
【００２９】
本発明について詳述したが、以上、説明した本発明の種々の変形、置き換え、多種、エンハンスメント、ニュアンス、階調、少ないフォーム、変更、改良及び類似は、本発明の広い形態において本発明の範囲及び主旨から逸脱することなく、実行されることが可能であることを、当業者は理解するであろう。
【図面の簡単な説明】
【００３０】
【図１】本発明の一実施形態に従った、コンテンツタイプに依存する適合性のある一次ソートキーと二次ソートキーとを利用する分類機構を用いるコンテンツ受信システムを示す図である。
【図２Ａ】本発明の一実施形態に従った、ユーザタスクコンテキスト及び／又はコンテンツタイプに依存する適合性のある分類キーを利用する分類機構を用いるコンテンツ受信システム制御器のためのユーザインタフェース表示装置のモックアップを示す図である。
【図２Ｂ】本発明の一実施形態に従った、ユーザタスクコンテキスト及び／又はコンテンツタイプに依存する適合性のある分類キーを利用する分類機構を用いるコンテンツ受信システム制御器のためのユーザインタフェース表示装置のモックアップを示す図である。
【図２Ｃ】本発明の一実施形態に従った、ユーザタスクコンテキスト及び／又はコンテンツタイプに依存する適合性のある分類キーを利用する分類機構を用いるコンテンツ受信システム制御器のためのユーザインタフェース表示装置のモックアップを示す    図である。
【図３】本発明の一実施形態に従った、ユーザタスクコンテキスト及び／又はコンテンツタイプに依存する適合性のある分類キーを利用する分類プロセスのための高レベルのフローチャートである。
【図１】
2005513686.tif 000003
【図２Ａ】
2005513686.tif 000004
【図２Ｂ】
2005513686.tif 000005
【図２Ｃ】
2005513686.tif 000006
【図３】
2005513686.tif 000007
【国際調査報告】
2005513686.tif 000008
2005513686.tif 000009
2005513686.tif 000010